(57)【特許請求の範囲】
【請求項１】
電線の端部へ圧縮接続されたスリーブを軸線方向に切り割って電線から取り外すために、圧縮器に上下に相対向して装着されるほぼ同形一対のダイスから成るダイスセットであって、
前記ダイスが、圧縮されたスリーブ内の電線の直径にほぼ等しい相互間隔で電線に沿って相互に平行に延びるように配置され、電線の外周へ接線方向に切り込み可能な一対の切り込み刃と、
これら一対の切り込み刃の外側に平行に配置され、当該切り込み刃の先端がスリーブ内の電線の直近の所定の切り込み位置に到達したときに先端面が上下に当接して上下ダイスの移動を止める高さに形成された当接部とを具備し、
前記切り込み刃は、前記スリーブへの切り込み溝の底がスリーブの外周面と平行になる平行部と、切り込み溝の底がスリーブの外周面に対して傾斜して徐々に浅くなる傾斜部とを具備することを特徴とする電線接続用スリーブの切り割り用ダイスセット。
【請求項２】
前記一対の切り込み刃を有する一体の刃部が、前記一対の当接部を有する一体のホルダ部に対してボルトにて着脱自在に構成されていることを特徴とする請求項１に記載の電線接続用スリーブの切り割り用ダイスセット。
【請求項３】
請求項１に記載のダイスセットを前記圧縮器に装着して用い、前記一対のダイス間に挿入された前記スリーブを軸線方向に移動させつつ全長を複数回の切断動作により、切り割る方法であって、２回目以降の各回の切断動作において、先回の切断動作による切り割り溝の傾斜部に、前記切り込み刃の傾斜部の一部と平行部とを切り込ませることにより、切り割り溝の直線的連続性を担保するようにしたことを特徴とする電線接続用スリーブの切り割り方法。
【発明の詳細な説明】
【０００１】
【発明の属する技術分野】
電線の本線へ接続された分岐線の端部に接続される圧縮端子、電線の端部同士を接続するための直線スリーブ等は、電線の端部に被挿され、電線に圧縮接続されるスリーブを備えている。本発明は、この電線に圧着されたスリーブを切り割って電線から取り外すための切り割り用ダイスセットと、これを用いたスリーブの切り割り方法に関するものである。
【０００２】
【従来の技術】
例えば、分岐線に圧縮接続されている圧縮端子が経年劣化して取り替えを必要とする場合に、従来は分岐線の全体を本線から切り離して取り替えることが行われている。
【０００３】
【発明が解決しようとする課題】
上記従来の方法にあっては、圧縮端子を分岐線ごと取り替えるため、資材の無駄が生じるし、旧分岐線と本線との切り離し、新分岐線の用意、新分岐線と本線との接続、新分岐線と圧縮端子との接続という多くの作業を必要とする。
従って、本発明は、内部の電線に損傷を与えることなく、圧縮端子等のスリーブのみを切り割って分岐線等の電線から取り外し、取り外した部位に新スリーブを再び接続することができるスリーブの切り割り用ダイスセットと、これを用いたスリーブの切り割り方法を提供することを目的としている。
【０００４】
【課題を解決するための手段】
本発明においては、上記課題を解決するため、ほぼ同形一対のダイス１ａ，１ｂでダイスセット１を構成し、そのダイス１ａ，１ｂには、切り込み刃２ａと当接部３ａとを具備させる。切り込み刃２ａは、圧縮されたスリーブＳ内の電線Ｗの直径にほぼ等しい相互間隔で電線Ｗに沿って相互に平行に延びるように一対設け、電線Ｗの外周へ接線方向に切り込み可能とする。一対の切り込み刃２ａの外側に、これと平行に当接部３ａを設ける。また、切り込み刃２ａには、スリーブＳへの切り込み溝Ｇの底がスリーブＳの外周面と平行になる平行部２ｂと、切り込み溝Ｇの底がスリーブＳの外周面に対して傾斜して徐々に浅くなる傾斜部２ｃとを具備させる。当接部３ａは、切り込み刃２ａの先端が、スリーブＳ内の電線Ｗの直近の所定の切り込み深さ位置に到達したときに、先端面３ｂが上下に当接して上下ダイス１ａ，１ｂの移動を止める高さに形成する。
また、本発明においては、上記ダイス１ａ，１ｂにおいて、一対の切り込み刃２ａを有する刃部２を一体に構成すると共に、一対の当接部３ａを有するホルダ部３を別に一体に構成し、刃部２をホルダ部３対してボルト４にて着脱自在に構成する。
さらに、本発明においては、上記ダイスセット１を圧縮器１１に装着して用い、一対のダイス１ａ，１ｂ間に挿入されたスリーブＳを軸線方向に移動させつつ、全長を複数回の切断動作により切り割る方法を採用し、２回目以降の各回の切断動作において、先回の切断動作による切り割り溝Ｇの傾斜部Ｇ２に、切り込み刃２ａの平行部２ｂを切り込ませることにより、切り割り溝Ｇの直線的連続性を担保するようにした。
【０００５】
【発明の実施の形態】
図面を参照して本発明の実施の形態を説明する。図１はダイスセットを圧縮器に装着した状態の正面図、図２、図３はスリーブを切り割る過程を示すダイスセットの正面図、図４は図３におけるIV−IV断面図、図５はスリーブの切り込み過程を示す説明図、図６は割り込み用ジグの正面図、図７は割り込み用ジグの側面図である。
【０００６】
図１において、上下一対のダイス１ａ，１ｂから成るダイスセット１は、油圧圧縮器１１に装着される。上ダイス１ａは、油圧圧縮器１１のシリンダＣの上端部に、また下シリンダ１ｂは、ラムＲの上に夫々定置される。ダイス１ａ，１ｂは有効部分においてほぼ同形である。
【０００７】
ダイス１ａ，１ｂは、刃部２とホルダ部３とから成り、刃部２は、ホルダ部３に対してボルト４で着脱自在に構成されている。刃部２は、左右一対の切り込み刃２ａ，２ａを有する。
【０００８】
図２，図３に示すように、一対の切り込み刃２ａは、圧縮端子等の圧縮されたスリーブＳ内の電線Ｗの直径にほぼ等しい相互間隔で、電線Ｗに沿って相互に平行に延びるように配置され、電線Ｗの外周へ接線方向に切り込み可能である。図４に示すように、切り込み刃２ａは、平行部２ｂと傾斜部２ｃとを具備する。従って、切断動作によりスリーブＳに形成される切り込み溝Ｇ（図５）は、その底がスリーブの外周面と平行になる平行部Ｇ１と、スリーブの外周面に対して傾斜して徐々に浅くなる傾斜部Ｇ２を有することになる。両切り込み刃２ａ，２ａの間には、凹部２ｂが形成されている。凹部２ｂは、切り込み刃２ａの先端が、スリーブＳ内の電線Ｗの直近の所定の切り込み深さ位置に到達したときに（図３）、底面２ｅがスリーブＳの上下頂部に当接して、上下ダイス１ａ，１ｂのそれ以上の食い込みを止める深さに構成される。
【０００９】
ホルダ部３は、切り込み刃２ａの外側に平行に配置された平行一対の当接部３ａを有する。当接部３ａは、切り込み刃２ａの先端が、スリーブＳ内の電線Ｗの直近の所定の切り込み深さ位置に到達したときに（図３）、先端面３ｂが上下に当接して上下ダイス１ａ，１ｂの移動を止める高さに構成される。
【００１０】
図１に示すように、ダイスセット１を圧縮器に装着し、上下ダイス１ａ，１ｂ間に挿入されたスリーブＳを軸線方向に順次移動させつつ、その全長を複数回の切断動作により切り割る。圧縮端子のスリーブを開腹する場合には、切り割り作業を始めるに先立ち、図示しない接続用の板部をスリーブＳから切除しておく。切断動作時には、下部ダイス１ｂのみが上昇することになる。このため、下部の切り込み刃２ａの切り込みが、上部の切り込み刃２ａのそれよりも先に進行する現象が生じる。上下の刃２ａの切り込み深さの進行に差違が生じた場合、例えば、ホルダ３の当接面３ａ同士が当接する前に、先に下部切り込み刃２ａの切り込み深さが所定値に達すると、スリーブＳの六角断面の下方の頂部が、下部切り込み刃２ａの凹部２ｄの底面２ｅに当接してそれ以上の切り込みが阻止される。従って、それ以降は、上部切り込み刃２ａの切り込みのみが進行し、当接面３ａ同士の当接により、上下の刃２ａの切り込み深さが適正に制御される。
【００１１】
スリーブＳの先端側から切り割りを開始する。図５に示すように、２回目以降の各回の切断動作において、先回の切断動作による切り割り溝Ｇの傾斜部Ｇ２に切り込み刃２ａの傾斜部２ｃの一部と平行部２ｂを切り込ませることにより、切り割り溝Ｇの直線的連続性を担保する。即ち、切り込み刃２ａが傾斜部２ｃを有するため、平行部２ｂを、先回の切断動作による切り割り溝Ｇの傾斜部Ｇ２内に挿入して位置決めをした状態から後続の各切断動作を行うことができる。刃２ａは、先回の溝Ｇに案内されて切り込まれ、新たな溝が先回の溝と直線状に連続するように刃２ａとスリーブＳとが相対的に位置決めされる。傾斜部２ｃがない場合には、刃先を先回の切り割り溝Ｇ内に予め挿入することができない。スリーブの圧縮断面は一般に六角形である。この場合、六角の頂部を上下ダイス１ａ，１ｂ間で垂直に上下に配置するようにスリーブＳをセットして切断動作を開始する。一対の切り込み刃２ａが接近し、その先端がスリーブＳの外周の斜面に摺動接触することにより、自動的にスリーブＳをダイス１ａ，１ｂの中心に配置する。圧縮断面が円形である場合も同様である。
【００１２】
なお、上記の操作のみによって、スリーブＳを完全に開腹することができない場合には、図６，図７に示す割り込み用ジグ５を用いてスリーブＳを電線Ｗから剥ぎ取る。
【００１３】
割り込み用ジグ５は、４枚の割り込み刃６をねじ棒７，８で井桁状に組んで成る。割り込み刃６はホルダ９に保持されている。ねじ棒８に螺合するナット１０を締めることによって割り込み刃６を切り割り溝Ｇ内へ圧入させて溝Ｇを割開く。
【００１４】
【発明の効果】
以上のように、本発明においては、内部の電線に損傷を与えることなく、スリーブのみを切り割って分岐線等の電線から容易に取り外すことができ、従って、旧線をそのまま用い、取り外した部位に新スリーブを再び接続することができ、これにより、圧縮端子等のの交換を経済的に短時間で行うことができるという効果を有する。
【図面の簡単な説明】
【図１】ダイスセットを圧縮器に装着した状態の正面図である。
【図２】スリーブを切り割る過程を示すダイスセットの正面図である。
【図３】スリーブを切り割る過程を示すダイスセットの正面図である。
【図４】図３におけるIV−IV断面図である。
【図５】スリーブの切り込み過程を示す説明図である。
【図６】割り込み用ジグの正面図である。
【図７】割り込み用ジグの側面図である。
【符号の説明】
１    ダイスセット
１ａ  上ダイス
１ｂ  下ダイス
２    刃部
２ａ  切り込み刃
２ｂ  平行部
２ｃ  傾斜部
３    ホルダ部
３ａ  当接部
３ｂ  当接面
４    ボルト
Ｇ    切り割り溝
Ｇ１  平行部
Ｇ２  傾斜部
Ｓ    スリーブ
Ｗ    電線
【図１】
0004208109.tif 000002
【図２】
0004208109.tif 000003
【図３】
0004208109.tif 000004
【図４】
0004208109.tif 000005
【図５】
0004208109.tif 000006
【図６】
0004208109.tif 000007
【図７】
0004208109.tif 000008